(57)【要約】【課題】通水性を有する構造体や自然水を貯留する構造体、その他各種用途に使用することができるユニット部材であって、構築状態での堅牢化を図ったものである。【解決手段】柱部材の端部を受入れるための凹溝状枠部を一側面に形成すると共に、その他側面に、十文字状に組まれた横梁及び縦梁を収容するための十文字状凹溝を中央部からに側方に連なるように形成して成る板状部材と、所定の長さを具えた柱部材とから成り、上記板状部材は、二枚を互いの凹溝形成側において合致させて重合したものを一単位とし、これを複数単位縦方向への連結は柱部材を介して行い、同横方向の連結は、十文字状に組んだ所定の梁部材を介して行うように構成したユニット部材。【選択図】  図1
2016216985.tif 000002
【特許請求の範囲】
【請求項１】
柱部材の端部を受入れるための凹溝状枠部を一側面に形成すると共に、その他側面に、十文字状に組まれた横梁及び縦梁を収容するための十文字状凹溝を中央部からに側方に連なるように形成して成る板状部材と、所定の長さを具えた柱部材とから成り、上記板状部材は、二枚を互いの凹溝形成側において合致させて重合したものを一単位とし、これを複数単位縦方向への連結は柱部材を介して行い、同横方向の連結は、十文字状に組んだ所定の梁部材を介して行うように構成したユニット部材。
【発明の詳細な説明】
【技術分野】
【０００１】
本発明は、通水性を有する構造体や自然水を貯留する構造体、あるいは水上に浮かべ、また水中に沈める構造体、その他各種用途の構造体の構築に使用することができるユニット部材に関する。
【背景技術】
【０００２】
従来、基盤上に一つまたは複数の突出部を設けて強度を高めると共に、互いの突出部を対向接触させた上これを固定し、これを複数単位、縦横および高さ方向に連結することにより、各種の構造体を構築するためユニット部材がある。（例えは特許文献１参照。)
【０００３】
そして、これは地下貯水槽の構築用として（例えば特許文献２参照。）、堤防構築用として（例えば特許文献３参照。）、水路構築用として（例えば特許文献４参照。）等、各種用途の構築用ユニット部材として用いられている。
【先行技術文献】
【特許文献】
【０００４】
【特許文献１】特開平１０−２５２１０８号公報
【特許文献２】特開２００１−１０７４０３号公報
【特許文献３】特開２００７―０８５１１０号公報
【特許文献４】特開２００１−０２６０７６号公報
【発明の概要】
【発明が解決しようとする課題】
【０００５】
上記したような用途に用いられるユニット部材は、互いの突出部を突き合せた状態で対向させたものを一単位とし、これを複数単位縦方向に積層した状態で使用するものであったため、横方向の揺れ動きに弱く、地震等が生じた際に単位ユニット間にズレを生じて倒壊する恐れがあった。
【０００６】
本発明はこのような問題を解決した新しい形態のユニット部材の提供を図ったものであって、一種類の板状部材との柱部材との組み合わせに基づき、縦方向は勿論、横方向の揺れに対しても強い耐性が発揮できるようにしたものである。
【課題を解決するための手段】
【０００７】
本発明は請求項１に記載のように、柱部材の端部を受入れるための凹溝状枠部を一側面に形成すると共に、その他側面に、十文字状に組まれた横梁及び縦梁を収容するための十文字状凹溝を中央部からに側方に連なるように形成して成る板状部材と、所定の長さを具えた柱部材とから成り、上記板状部材は、二枚を互いの凹溝形成側において合致させて重合したものを一単位とし、これを複数単位縦方向への連結は柱部材を介して行い、同横方向の連結は、十文字状に組んだ所定の梁部材を介して行うように構成したユニット部材に係る。
【発明の効果】
【０００８】
本発明は請求項１に記載のような構成の採用に基づき、柱部材に依る支持状態に保たれるため、地震等の発生に基づく横揺れ及び縦揺れに対する極めて強固な堅牢性を発揮させることができる。更に、使用する柱部材は使用上の全長に対して分割された短いものであり、その各端部の直接的接触を防いだ状態で連ならせてあるため、例えば目的とする構築体の全長に亘って一本の柱部材を一括して貫通させるものにおいて想定される、地震の発生、並びに地中にクレープが発生した場合等に生じる、柱部材の座屈及び破損と言うような事柄を未然に防止する。同時に、このように一本の柱部材を用いた場合に比して、本発明は一単位の板状部材毎に短い柱部材の使用に基づくものであるため、その作業及び取扱いの容易性が図られる。
【図面の簡単な説明】
【０００９】
【図１】本発明の構築状態を表した説明用正面図である。
【図２】本発明の要旨部材たるユニット部材単体を表した平面図である。
【図３】同上正面図である。
【図４】同上底面図である。
【図５】図２におけるＸ−Ｘ線断面図である。
【図６】図２におけるＹ−Ｙ線断面図である。
【図７】重合状態とした一単位のユニット部材を表した縦断面図である。
【発明を実施するための形態】
【００１０】
本発明は、通水性を有する構造体や自然水を貯留する構造体、あるいは水上に浮かべ、また水中に沈める構造体、その他各種用途の構造体の構築目的を達成するためのユニット部材に関する。
【００１１】
図２乃至図６は本発明の要旨部材たる板状部材１を表したものであって、当該板状部材１は正四角形状、或は長方形状を呈するものである。そして、その一側面には後記する柱部材４の端部を受入れるための凹溝状枠部２が形成してある。そして、その他側面には、十文字状に組まれた横梁及び縦梁による梁材を収容するための十文字状凹溝３が形成してある。
【００１２】
上記した板状部材１は、二枚を互いの十文字状凹溝３の形成側を合致させて重合させたものを一単位とし、これを複数単位縦方向及び横方向に並べた状態で連結することによって、所要の構造体を形成するようにするためのものである。
【００１３】
４は上記一単位の板状部材を縦方向に連結するための支持用柱部材であって、夫々の単位ごとの板状部材間に介在させることによって、互いの縦方向での連結を図るためのものである。
【００１４】
５は上記所要単位数の板状部材を前後及び左右方向に連結するための梁部材であって、障子の桟状に十文字に組まれたような形態を呈し、前記十文字状凹溝梁部材３に対してしっくりと収容させる(上下の板所部材の合致に基づき形成される溝内にしっくりと収容させる)ように構成してある。
【００１５】
ところで、前記した凹溝状枠部２であるが、図２乃至図５に示す実施例にあっては、板状部材１の縦横方向に四か所開設するように構成してあるが、これは横方向に二か所開設するか、或は、中央に一か所開設するように構成しても良い。そして、その形状であるが、図示のような正四角形状以外、円形状のものであっても良い。更に、作業性の観点を度外視すれば、長方形を含む適宜な矩形状、三角形状、楕円形状、若しくは所要の多角形状等任意なものであって可とし、その形状の限定性は無く、また、その板状部材１に対する開設個所及び開設数においても限定性は存在しない。要は柱部材の嵌合を可能とするものであれば、その個数及び形状に対する実施上の制限性は存在しない。なお、柱部材の形態は凹溝状枠部２の形状に即応したものとすることは勿論である。
【００１６】
また、上記した支持用柱部材Ｂとして、単純に一本のものとする以外、例えばアングル稈を用いるように構成してもよい。換言すれば、本発明にあっては、支持用柱部材４自体の構成に制限性は存在しない。
【００１７】
１a及び1bは板状部材１を重合合致化の固定を図るためのボス状突起、及び嵌入用孔であって、両者の係合に基づき一単位の板状部材の結合が図られるように構成してある。なお、このような結合のための手段、図示の実施例以外適宜な方法であって可とする。
【００１８】
図１は本発明に依り組み立てた構築体の実施例を表したものであって、所要の現場においてこのように組み立てることにより、目的とする構築体を形成するものである。なお、同図において、各板状部材の水平方向の並びを、所定の間隔を設けて連結してあるが、例えば間隔を設けることなく連続状に連結するようにしても良い。これは梁部材５の設定に基づき決定される事項である。
【符号の説明】
【００１９】
１   板状部材
１a  ボス状突起
１b  嵌入用孔    
２   凹溝状枠部
３   十文字状凹溝
４   支持用柱部材
５   梁部材 
【図１】
2016216985.tif 000003
【図７】
2016216985.tif 000004
【図２】
2016216985.tif 000005
【図３】
2016216985.tif 000006
【図４】
2016216985.tif 000007
【図５】
2016216985.tif 000008
【図６】
2016216985.tif 000009